(57)【要約】【課題】旋回スクロールに形成された給油経路の入口（もしくは出口）がシール部材をまたいで往復運動を行うため、個々の圧縮機において給油量にばらつきが生じ、性能差が出てしまう。【解決手段】旋回スクロール１３の背面１３ｅの高圧領域３０から旋回スクロール１３の鏡板１３ａのラップ面１３ｂに連通する給油経路５４を設け、また固定スクロール１２のラップ面１２ｂに開口出口用凹部１２ｈを形成し、給油経路５４の開口出口部５４ｂと開口出口用凹部１２ｈが連通させることで、給油経路５４の出口部がシール部材７８をまたいで往復することがなくなり、シール部材７８の仕上がり精度、もしくは旋回スクロール１３と主軸受部材１１の組立寸法に関わらず、性能の個体差を極力抑えることが可能となる。【選択図】図２
2008121624.tif 000002
【特許請求の範囲】
【請求項１】
鏡板から渦巻き状のラップが立ち上がる固定スクロール及び旋回スクロールを噛み合わせて双方間に圧縮室を形成し、前記旋回スクロール背面に環状のシール部材を配置し、前記シール部材によって内側の高圧領域と外側の背圧室とに仕切り、前記背圧室に一定中間圧を印加することで前記旋回スクロールを前記固定スクロールに接触させ、かつ前記旋回スクロール背面に自転拘束機構を備えることで、前記旋回スクロールが円軌道に沿って旋回し、これにより前記圧縮室が容積を変えながら中心に向かって移動し、吸入、圧縮、吐出の一連の動作を行うスクロール圧縮機において、
前記旋回スクロール背面の高圧領域から前記旋回スクロール鏡板のラップ面に連通する給油経路を設け、また前記固定スクロールのラップ面に開口出口用凹部を形成し、前記給油経路の開口出口部と前記開口出口用凹部が連通してなるスクロール圧縮機。
【請求項２】
前記給油経路の開口出口部と前記開口出口用凹部が間欠的に連通してなる請求項１に記載のスクロール圧縮機。
【請求項３】
前記給油経路が、前記旋回スクロール背面のボス部内側から、前記旋回スクロール鏡板内部を経て、前記ラップ面に至ってなる請求項１または２に記載のスクロール圧縮機。
【請求項４】
前記給油経路の一部に絞り部を設けてなる請求項１から３のいずれか１項に記載のスクロール圧縮機。
【請求項５】
前記開口出口用凹部を、前記旋回スクロール鏡板の旋回軌跡より外側まで形成してなる請求項１から４のいずれか１項に記載のスクロール圧縮機。
【請求項６】
前記固定スクロールのラップ面に外周凹部を形成し、前記開口出口用凹部と連通してなる請求項１から４のいずれか１項に記載のスクロール圧縮機。
【請求項７】
前記背圧室を一定中間圧に維持する背圧調整機構として、前記背圧室とラップ溝をつなぐ連通孔を前記固定スクロール内部に設け、前記連通孔が前記外周凹部に臨むように形成してなる請求項６に記載のスクロール圧縮機。
【請求項８】
前記開口出口用凹部から前記連通孔に至るまで、前記スクロールの反旋回方向の区間のみ繋ぐように、前記外周凹部を形成してなる請求項７に記載のスクロール圧縮機。
【請求項９】
作動流体を、高圧冷媒、例えば二酸化炭素としてなる請求項１から８のいずれか１項に記載のスクロール圧縮機。
【発明の詳細な説明】
【技術分野】
【０００１】
本発明は、冷暖房空調装置や冷蔵庫等の冷却装置、あるいはヒートポンプ式の給湯装置等に用いられるスクロール圧縮機に関するものである。
【背景技術】
【０００２】
従来、冷凍空調機や冷凍機に用いられるスクロール圧縮機は、一般に、鏡板から渦巻きラップが立ち上がる固定スクロールおよび旋回スクロールを噛み合わせて双方間に圧縮室を形成し、旋回スクロールを自転拘束機構による自転の拘束のもとに円軌道に沿って旋回させたとき圧縮室が容積を変えながら移動することで吸入、圧縮、吐出を行う。旋回スクロールの背面には環状のシール部材を配置し、そのシール部材によって、内側の高圧領域と、外側の背圧室とに仕切っている。背圧室には潤滑用のオイルを供給し、所定の背圧を印加している。これにより旋回スクロールが固定スクロールから離れるといった、いわゆる転覆現象を防止する。この潤滑用のオイルは、下シェルのオイル溜りからオイルポンプにより吸い上げられ、シャフト内部を通り旋回スクロールのボス部内側に至る。その後、旋回スクロールの軸受部を潤滑し、旋回スクロールに設けられた給油経路を経て、背圧室へと供給される。背圧室に供給されたオイルは固定スクロールに設けられた背圧調整機構を経て吸入室へと送り込まれ、この機構により背圧室は所定の設定圧力に保持される。背圧室へのオイル供給量が多すぎると、吸入室へと送り込まれるオイル量も多くなり、吸入加熱やオイル圧縮、また粘性損失の増大を引き起こし、結果として性能低下となってしまう。一方、背圧室へのオイル供給量が少なすぎると、所定の背圧が印加できなくなるだけでなく、自転拘束機構の潤滑不良や圧縮室のシール不足を引き起こしてしまう。そこで適度なオイル供給量を実現するため、特許文献１に示すような方式がある。
【０００３】
図８は特許文献１に記載された従来のスクロール圧縮機の圧縮機構部断面図である。図８に示すように、シャフト１０１の内部を通って旋回スクロール１０２のボス部内側にまで到達したオイルは、旋回スクロールの軸受部１０３を潤滑し、旋回スクロール１０２に設けられた給油経路１０４を経て、背圧室１０５へと供給される。給油経路の入口部１０４ａは、旋回スクロール１０２の背面に配置された環状のシール部材１０６を往復し、間欠的に高圧領域１０７に開口する。これにより適度なオイル量を背圧室１０５へと供給することが可能となる。
【特許文献１】特開２００４−１９４９９号公報
【発明の開示】
【発明が解決しようとする課題】
【０００４】
前記従来の構成では、入口部１０４ａが高圧領域１０７に開口しているときのみ、差圧によりオイルが流れ、背圧室１０５へと給油される。またシール部材１０６は環状の取り付け溝の中で、差圧により外壁へと貼り付いている。そのため入口部１０４ａが高圧領域１０７に開口している時間、すなわち背圧室１０５への給油時間は、シール部材１０６の内径寸法に依存することになる。シール部材１０６は樹脂成形品であり、仕上がり精度には限界がある。すなわち個々の圧縮機において、シール部材１０６の内径寸法が異なるため背圧室１０５への給油量も異なり、その結果性能のばらつきが大きくなるという課題を有していた。
【０００５】
また間欠給油の別案として、給油経路１０４の出口部１０４ｂがシール部材１０６をまたぐ場合には、出口部１０４ｂが背圧室１０５に開口しているときのみ、差圧によりオイルが流れる。出口部１０４ｂから出たオイルは、旋回スクロール１０２の背面と主軸受部材１０８との隙間を抜けて背圧室１０５へと給油される。この給油方式では、背圧室１０
５への給油量は、出口部１０４ｂが背圧室１０５に開口している時間に加え、旋回スクロール１０２の背面と主軸受部材１０８との隙間にも依存することになる。すなわち個々の圧縮機において、組立隙間が異なるため給油量も異なり、その結果、上記同様性能のばらつきが大きくなるという課題を有していた。
【０００６】
本発明は前記従来の課題を解決するもので、給油経路の出口部を固定スクロール側に形成することで、シール部材の仕上がり精度、もしくは旋回スクロールと主軸受部材の組立寸法に関わらず、性能の個体差を極力抑えることが可能となるため、性能ばらつきの少ないスクロール圧縮機を提供することを目的とする。
【課題を解決するための手段】
【０００７】
前記従来の課題を解決するために、本発明のスクロール圧縮機は、鏡板から渦巻き状のラップが立ち上がる固定スクロール及び旋回スクロールを噛み合わせて双方間に圧縮室を形成し、旋回スクロール背面に環状のシール部材を配置し、シール部材によって内側の高圧領域と外側の背圧室とに仕切り、背圧室に一定中間圧を印加することで旋回スクロールを固定スクロールに接触させ、かつ旋回スクロール背面に自転拘束機構を備えることで、旋回スクロールが円軌道に沿って旋回し、これにより圧縮室が容積を変えながら中心に向かって移動し、吸入、圧縮、吐出の一連の動作を行うスクロール圧縮機において、旋回スクロール背面の高圧領域から旋回スクロール鏡板のラップ面に連通する給油経路を設け、また固定スクロールのラップ面に開口出口用凹部を形成し、給油経路の開口出口部と前記開口出口用凹部が連通したものである。
【０００８】
かかる構成によれば、シール部材の仕上がり精度、もしくは旋回スクロールと主軸受部材の組立寸法に関わらず、性能の個体差を極力抑えることが可能となるため、性能ばらつきの少ないスクロール圧縮機を提供することができる。
【発明の効果】
【０００９】
本発明のスクロール圧縮機は、シール部材の仕上がり精度、もしくは旋回スクロールと主軸受部材の組立寸法に関わらず、性能の個体差を極力抑えることが可能となるため、性能ばらつきの少ないスクロール圧縮機を提供することができる。
【発明を実施するための最良の形態】
【００１０】
請求項１に記載の本発明では、鏡板から渦巻き状のラップが立ち上がる固定スクロール及び旋回スクロールを噛み合わせて双方間に圧縮室を形成し、旋回スクロール背面に環状のシール部材を配置し、シール部材によって内側の高圧領域と外側の背圧室とに仕切り、背圧室に一定中間圧を印加することで旋回スクロールを固定スクロールに接触させ、かつ旋回スクロール背面に自転拘束機構を備えることで、旋回スクロールが円軌道に沿って旋回し、これにより圧縮室が容積を変えながら中心に向かって移動し、吸入、圧縮、吐出の一連の動作を行うスクロール圧縮機において、旋回スクロール背面の高圧領域から旋回スクロール鏡板のラップ面に連通する給油経路を設け、また固定スクロールのラップ面に開口出口用凹部を形成し、給油経路の開口出口部と開口出口用凹部が連通したものである。そしてこの構成によれば、給油経路の出口部を固定スクロール側に形成するため、シール部材の仕上がり精度、もしくは旋回スクロールと主軸受部材の組立寸法に関わらず、性能の個体差を極力抑えることが可能となるため、性能ばらつきの少ないスクロール圧縮機を提供することができる。
【００１１】
請求項２に記載の本発明では、特に請求項１に記載の給油経路の開口出口部と開口出口用凹部が間欠的に連通したものである。そしてこの構成によれば、背圧室へのオイル供給量を適度に調整することができるため、結果として吸入室へと送り込まれるオイル量も調整できることになり、冷媒の吸入加熱やオイル圧縮を抑制しつつ、背圧の安定化や摺動部
の潤滑には十分な最適オイル量を供給することができる。
【００１２】
請求項３に記載の本発明では、特に請求項１または２に記載の給油経路が、旋回スクロール背面のボス部内側から、旋回スクロール鏡板内部を経て、ラップ面に至ったものである。そしてこの構成によれば、加工が容易で、かつ確実に高圧領域と背圧室を連通させることができる。
【００１３】
請求項４に記載の本発明では、特に請求項１から３のいずれか１つに記載の給油経路の一部に絞り部を設けたものである。そしてこの構成によれば、間欠的に給油するということに加え、さらに背圧室へのオイル供給量を適度に調整することができるため、結果として吸入室へと送り込まれるオイル量も調整できることになり、冷媒の吸入加熱やオイル圧縮を抑制しつつ、背圧の安定化や摺動部の潤滑には十分な最適オイル量を供給することができる。
【００１４】
請求項５に記載の本発明では、特に請求項１から４のいずれか１つに記載の開口出口用凹部を、旋回スクロール鏡板の旋回軌跡より外側まで形成したものである。そしてこの構成によれば、固定スクロールに形成された開口出口用凹部と背圧室が連通し、旋回スクロールの給油経路から供給されたオイルが確実に背圧室へと供給される。すなわち自転拘束機構の潤滑や安定した背圧の維持が可能となる。
【００１５】
請求項６に記載の本発明では、特に請求項１から４のいずれか１つに記載のスクロール圧縮機において、固定スクロールのラップ面に外周凹部を形成し、開口出口用凹部と連通したものである。そしてこの構成によれば、給油経路の開口出口部が旋回スクロールの全周にわたり背圧室と連通することになるため、背圧室への給油が迅速に行われ、起動時などに発生する給油遅れといった問題が解消できる。
【００１６】
請求項７に記載の本発明では、特に請求項６に記載のスクロール圧縮機において、背圧室を一定中間圧に維持する背圧調整機構として、背圧室とラップ溝をつなぐ連通孔を固定スクロール内部に設け、連通孔が外周凹部に臨むように形成したものである。そしてこの構成によれば、連通孔が常時背圧室と臨んでいるため、設定圧力に対する変動を抑制することができる。
【００１７】
請求項８に記載の本発明では、特に請求項７に記載の外周凹部において、開口出口用凹部から連通孔に至るまで、旋回スクロールの反旋回方向の区間のみ繋ぐように、外周凹部を形成したものである。そしてこの構成によれば、開口出口用凹部から供給されたオイルが旋回スクロールの旋回運動に伴い、直接背圧調整機構へと導かれるのを防止することができる。すなわちオイルが背圧室全体に行き渡り、自転拘束機構の潤滑も十分に行うことができる。
【００１８】
請求項９に記載の本発明では、特に請求項１から８のいずれか１つに記載のスクロール圧縮機において、作動流体を、高圧冷媒、例えば二酸化炭素としたものである。そしてこの場合、特に高低圧の差が大きくなり、旋回スクロールの反ラップ面に加わる荷重も増大するので、本発明の効果が顕著に現れ、高効率化及び高信頼性化を両立したスクロール圧縮機を実現することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態に係わるスクロール圧縮機の縦断面図、図２は図１
の圧縮機構部の要部拡大断面図である。図のように構成されたスクロール圧縮機について、以下その構成、動作、作用を説明する。
【００２１】
図１に示すように、本発明のスクロール圧縮機は、密閉容器１内に溶接や焼き嵌めなどして固定したクランク軸４の主軸受部材１１と、この主軸受部材１１上にボルト止めした固定スクロール１２との間に、固定スクロール１２と噛み合う旋回スクロール１３を挟み込んでスクロール式の圧縮機構２を構成し、旋回スクロール１３と主軸受部材１１との間に旋回スクロール１３の自転を防止して円軌道運動するように案内するオルダムリングなどによる自転拘束機構１４を設けて、クランク軸４の上端にある偏心軸部４ａにて旋回スクロール１３を偏心駆動することにより旋回スクロール１３を円軌道運動させ、これにより固定スクロール１２と旋回スクロール１３との間に形成している圧縮室１５が外周側から中央部に移動しながら小さくなるのを利用して、密閉容器１外に通じた吸入パイプ１６および固定スクロール１２の外周部の吸入口１７から冷媒ガスを吸入して圧縮していき、所定圧以上になった冷媒ガスは固定スクロール１２の中央部の吐出口１８からリード弁１９を押し開いて密閉容器１内に吐出させることを繰り返す。
【００２２】
旋回スクロール１３の背面１３ｅには、主軸受部材１１に配置されている環状のシール部材７８があり、旋回運動を行いながらシール部材７８により、シール部材７８の内側領域である高圧領域３０と、外側領域である高圧と低圧の中間圧に設定された背圧室２９とに仕切られている。この背面１３ｅの圧力付加により旋回スクロール１３は固定スクロール１２に安定的に押しつけられ、漏れを低減するとともに安定して円軌道運動を行うことができる。
【００２３】
さらに、固定スクロール１２には、旋回スクロール１３の背面１３ｅの背圧室２９が、常に一定の圧力となるように制御する背圧調整機構９を備えている。
【００２４】
圧縮機運転中は、クランク軸４の下向きの他端にはポンプ２５が設けられ、スクロール圧縮機と同時に駆動される。これによりポンプ２５は密閉容器１の底部に設けられたオイル溜め２０にあるオイル６を吸い上げてクランク軸４内を通縦しているオイル供給穴２６を通じて圧縮機構２に供給する。このときの供給圧は、スクロール圧縮機の吐出圧力とほぼ同等であり、旋回スクロール１３に対する背圧源ともなる。これにより、旋回スクロール１３は固定スクロール１２から離れたり片当たりしたりするようなことはなく、所定の圧縮機能を安定して発揮する。
【００２５】
このように供給されたオイル６の一部は、供給圧や自重によって、逃げ場を求めるようにして偏心軸部４ａと旋回スクロール１３との嵌合部、クランク軸４と主軸受部材１１との間の軸受部６６に進入してそれぞれの部分を潤滑した後落下し、オイル溜め２０へ戻る。高圧領域３０に供給されたオイル６の別の一部は、高圧領域３０に開口を有する給油経路５４を通って、旋回スクロール１３の外周部まわりにあって自転拘束機構１４が位置している背圧室２９に進入し、スラスト摺動部および自転拘束機構１４の摺動部を潤滑するのに併せ、背圧室２９にて旋回スクロール１３の背圧を印加する。
【００２６】
背圧室２９は高圧領域３０の高圧側との間が環状のシール部材７８によってシールされていて、進入してくるオイルが充満するにつれて圧力を増し、所定の圧力を超えると、背圧調整機構９が作用して、圧縮室１５の吸入部分に戻され進入する。
【００２７】
このオイル６の進入は所定の周期で繰り返され、この繰り返しのタイミングは吸入、圧縮、吐出の繰り返しサイクルと、背圧調整機構９での圧力設定との関係の組み合わせによって決まり、固定スクロール１２と旋回スクロール１３との摺動部への意図的な潤滑となる。この意図的な潤滑は前記したように背圧調整機構９による連絡路１０の凹部１０ａへ
の開口によって常時保証される。吸入口１７へと供給されたオイル６は旋回スクロール１３の旋回運動とともに圧縮室１５へと移動し、圧縮室１５間の漏れ防止に役立っている。
【００２８】
本実施の形態のスクロール圧縮機では、旋回スクロール１３の背面１３ｅの高圧領域３０から旋回スクロール１３の鏡板１３ａのラップ面１３ｂに連通する給油経路５４を設け、また固定スクロール１２のラップ面１２ｂに開口出口用凹部１２ｈを形成し、給油経路５４の開口出口部５４ｂと開口出口用凹部１２ｈを連通させる。給油経路５４の出口部を旋回スクロール１３の背面１３ｅではなく、固定スクロール１２に形成することにより、シール部材７８の仕上がり精度、もしくは旋回スクロール１３と主軸受部材１１の組立寸法に関わらず、性能の個体差を極力抑えることが可能となるため、性能ばらつきの少ないスクロール圧縮機を提供することができる。
【００２９】
また給油経路５４は、旋回スクロール１３のボス部内側から、旋回スクロール１３の鏡板１３ａの内部を経て、ラップ面１３ｂに導いたものが望ましい。この場合、給油経路５４の加工が容易で、かつ確実に高圧領域３０と背圧室２９を連通させることができる。
【００３０】
（実施の形態２）
図３は本発明の第２の実施の形態における固定スクロール１２の平面図である。固定スクロール１２のラップ面１２ｂに開口出口用凹部１２ｈを形成し、給油経路５４の開口出口部５４ｂと開口出口用凹部１２ｈを連通させて背圧室２９へとオイルを供給するが、給油経路５４の開口出口部５４ｂと開口出口用凹部１２ｈが間欠的に連通するように形成する。具体的には旋回スクロール１３の旋回運動を利用して、１回転のうち、ある区間だけ連通させるものである。これにより、背圧室２９へのオイル供給量を適度に調整することができるため、結果として吸入室２９へと送り込まれるオイル量も調整できることになり、冷媒の吸入加熱やオイル圧縮を抑制しつつ、背圧の安定化や摺動部の潤滑には十分な最適オイル量を供給することができる。
【００３１】
（実施の形態３）
図４は本発明の第３の実施の形態における旋回スクロール１３の断面図である。給油経路５４の一部に絞り部５７を設けることにより、間欠的に給油するということに加え、さらに背圧室２９へのオイル供給量を適度に調整することができるため、結果として吸入室２９へと送り込まれるオイル量も調整できることになり、冷媒の吸入加熱やオイル圧縮を抑制しつつ、背圧の安定化や摺動部の潤滑には十分な最適オイル量を供給することができる。
【００３２】
（実施の形態４）
図５は本発明の第４の実施の形態における固定スクロール１２の平面図である。図５において図３と同じ構成要素については同じ符号を用い、説明を省略する。固定スクロール１２の開口出口用凹部１２ｈを、旋回スクロール１３の鏡板１３ａの旋回軌跡１３ｌより外側まで形成する。これにより、固定スクロール１２に形成された開口出口用凹部１２ｈと背圧室２９が常時連通し、旋回スクロール１３の給油経路５４から供給されたオイルが確実に背圧室２９へと供給される。すなわち自転拘束機構１４の潤滑や安定した背圧の維持が可能となる。
【００３３】
（実施の形態５）
図６は本発明の第５の実施の形態における固定スクロール１２の平面図である。図６において図３と同じ構成要素については同じ符号を用い、説明を省略する。固定スクロール１２のラップ面１２ｂに外周凹部１２ｉを形成し、開口出口用凹部１２ｈと連通させる。これにより、給油経路５４の開口出口部５４ｂが旋回スクロール１３の全周にわたり背圧室２９と連通することになるため、背圧室２９への給油が迅速に行われ、起動時などに発
生する給油遅れといった問題が解消できる。
【００３４】
また背圧室２９を一定中間圧に維持する背圧調整機構９の凹部１０ａが外周凹部１２ｉに臨むように形成する。これにより、背圧調整機構９の連通路１０が常時背圧室２９と臨むことになるため、設定圧力に対する変動を抑制することができる。
【００３５】
（実施の形態６）
図７は本発明の第６の実施の形態における固定スクロール１２の平面図である。図７において図３及び図６と同じ構成要素については同じ符号を用い、説明を省略する。固定スクロール１２の外周凹部１２ｉにおいて、開口出口用凹部１２ｈから背圧調整機構９の連通孔１０に至るまで、旋回スクロール１３の反旋回方向の区間のみ繋ぐように、外周凹部１２ｉを形成する。これにより、開口出口用凹部１２ｉから供給されたオイルが旋回スクロール１３の旋回運動に伴い、直接背圧調整機構９の連通路１０へと導かれるのを防止することができる。すなわちオイルが背圧室２９の全体に行き渡り、自転拘束機構９の潤滑も十分に行うことができる。
【００３６】
最後に作動流体を、高圧冷媒、例えば二酸化炭素とした場合、特に高低圧の差が大きくなり、オイル供給量が条件により大きく変動する。従来の構成ではシール部材７８の破損やクリープにより、オイル供給量が大幅に変化し、性能及び信頼性に大きく影響を及ぼしていた。しかし本発明においては、上述したように固定スクロール１２のラップ面１２ｂに形成された開口出口用凹部１２ｈにオイルを供給するため、シール部材７８の破損を防止することができる。またクリープが発生した場合において、安定したオイル量を供給できるので、性能の安定化、及び高信頼性を両立したスクロール圧縮機を実現することができる。
【産業上の利用可能性】
【００３７】
以上のように、本発明にかかるスクロール圧縮機は、シール部材の仕上がり精度、もしくは旋回スクロールと主軸受部材の組立寸法に関わらず、性能の個体差を極力抑えることが可能となるため、作動流体を冷媒と限ることなく、空気スクロール圧縮機、真空ポンプ、スクロール型膨張機等のスクロール流体機械の用途にも適用できる。
【図面の簡単な説明】
【００３８】
【図１】本発明の実施の形態１におけるスクロール圧縮機の断面図
【図２】本発明の実施の形態１におけるスクロール圧縮機の圧縮機構部の要部拡大断面図
【図３】本発明の実施の形態２におけるスクロール圧縮機の固定スクロールの平面図
【図４】本発明の実施の形態３におけるスクロール圧縮機の旋回スクロールの断面図
【図５】本発明の実施の形態４におけるスクロール圧縮機の固定スクロールの平面図
【図６】本発明の実施の形態５におけるスクロール圧縮機の固定スクロールの平面図
【図７】本発明の実施の形態６におけるスクロール圧縮機の固定スクロールの平面図
【図８】従来のスクロール圧縮機の圧縮機構部の断面図
【符号の説明】
【００３９】
９  背圧調整機構
１０  連通路
１２  固定スクロール
１２ａ  鏡板
１２ｂ  ラップ面
１２ｈ  開口出口用凹部
１２ｉ  外周凹部
１３  旋回スクロール
１３ａ  鏡板
１３ｂ  ラップ面
１３ｅ  背面
１３ｌ  鏡板の旋回軌跡
１４  自転拘束機構
１５  圧縮室
２９  背圧室
３０  高圧領域
５４  給油経路
５４  開口出口部
５７  絞り
７８  シール部材
【図１】
2008121624.tif 000003
【図３】
2008121624.tif 000004
【図５】
2008121624.tif 000005
【図６】
2008121624.tif 000006
【図７】
2008121624.tif 000007
【図８】
2008121624.tif 000008
【図２】
2008121624.tif 000009
【図４】
2008121624.tif 000010